(57)【要約】【課題】  処理対象の原水にオゾンガスを注入するときと注入後原水とオゾンガスを反応させる時のエネルギー使用を減らして処理費用を節減して実用性を向上させることが可能な低エネルギーを使用するオゾン水処理システムを提供する。【解決手段】本発明は低エネルギーを使用するオゾン水処理システムに関するものである。本発明は、処理対象の原水がエネルギーを持って移送供給される送水管と、前記送水管から供給されて移送される原水にオゾンガスを超微細気泡の形態で分散注入する気体注入機、前記気体注入機から供給されて移送されるオゾン混合水内の前記原水と前記オゾンガスの接触反応を促進させる低エネルギー使用形気液接触反応器、および反応処理された処理水を移送して反応促進をさせる管水路形の滞流槽と、放流する放流管を含む。したがって、オゾンガス注入時及び接触反応時のエネルギー使用を大幅に減らすことができることによって処理費用を節減させることができる効果がある。【選択図】  図１
2019505380.tif 000002
【特許請求の範囲】
【請求項１】
処理対象の原水がエネルギーを持って移送供給される送水管と、
前記送水管から供給されて移送される原水にオゾンガスを超微細気泡の形態で分散注入する気体注入機と、
前記気体注入機から供給されて移送されるオゾン混合水内の前記原水と前記オゾンガスの接触反応を促進させる低エネルギー使用形気液接触反応器、および反応処理された処理水を移送して反応促進をさせる管水路形の滞流槽と、放流する放流管と
を含み、
前記管水路形の滞流槽は、反応を促進させるため、渦流を形成できる上下左右の導流壁、または上下の導流壁を含むことを特徴とする低エネルギーを使用するオゾン水処理システム。
【請求項２】
前記低エネルギー使用形気液接触反応器は、
板状の混合反応器、多重噴射反応器、分割剪断反応器の中から選択される一つ以上の組み合わせからなることを特徴とする請求項1に記載の低エネルギーを使用するオゾン水処理システム。
【請求項３】
前記送水管を通じて供給される前記原水は、
落差による位置エネルギーによって加圧移送されることを特徴とする請求項1又は2に記載の低エネルギーを使用するオゾン水処理システム。
【請求項４】
前記原水にエネルギーを付与して送水されるようにした送水ポンプをさらに含むことを特徴とする請求項1又は2に記載の低エネルギーを使用するオゾン水処理システム。
【請求項５】
前記原水を貯水し、前記送水管に供給する原水水槽をさらに含むことを特徴とする請求項1又は2に記載の低エネルギーを使用するオゾン水処理システム。
【請求項６】
前記気体注入機に供給される前記オゾンガスを発生して供給するオゾン発生器、および前記オゾン発生器から供給される前記オゾンガスを前記気体注入機に移送して供給するオゾン供給管をさらに含むことを特徴とする請求項1又は2に記載の低エネルギーを使用するオゾン水処理システム。
【請求項７】
前記気体注入機に供給されるオゾンガス以外にも酸素ガス、塩素ガスを発生させて供給するガス供給管をさらに含むことを特徴とする請求項1又は2に記載の低エネルギーを使用するオゾン水処理システム。
【請求項８】
前記気体注入機の種類は、メンブレン形の気体注入機、マイクロバブル形の気体注入機、打孔形の気体注入機の内部管路面積全体に均一に直接注入できるSTS304、STS316、STS316L、アステルルイ、PP、PEの材質の気体注入機を含むことを特徴とする請求項1又は2に記載の低エネルギーを使用するオゾン水処理システム。
【請求項９】
微細気泡として注入されたオゾンガスが、板状の混合反応器、多重噴射反応器を複合的に利用することによって接触反応を促進させた後、超音波発生装置を通じて超音波空洞現象が起きて、さらに接触反応が促進され、オゾンと原水の2次促進反応や超音波による水処理効果を同時に得られることを特徴とする請求項1又は2に記載の低エネルギーを使用するオゾン水処理システム。
【請求項１０】
前記気体注入機に補助管路を追加して、流入量の一部をポンプを利用して補助管路に流し出して、エジェクタを利用して気体を注入させるside-streamの構成をさらに含み、
補助管路の後端には板状の混合反応器、多重噴射反応器を一つ以上の複合的に利用することによって接触反応を促進させることができ、促進され気液水は再び気体注入機内に移動され、混合されるようにすることを特徴とする請求項1又は2に記載の低エネルギーを使用するオゾン水処理システム。
【請求項１１】
前記放流管から放流される前記処理水を貯水する放流水槽、および前記放流管の端部に具備され、前記放流水槽内の水中に前記処理水を噴射する噴射手段をさらに含むことを特徴とする請求項1又は2に記載の低エネルギーを使用するオゾン水処理システム。
【請求項１２】
前記低エネルギー使用形気液接触反応器から供給される前記オゾン混合水内の前記原水と前記オゾンガスの接触反応を促進しながら反応処理された前記処理水を前記放流管に供給する主反応器をさらに含むことを特徴とする請求項1又は2に記載の低エネルギーを使用するオゾン水処理システム。
【請求項１３】
前記主反応器の後端と放流管の前端に選択的に超音波発生装置を設置して、前処理過程で反応されていないオゾンの反応を極大化及び残留オゾンをゼロ化して、オゾンによる臭いの被害を最小化できるようにすることを特徴とする請求項12に記載の低エネルギーを使用するオゾン水処理システム。
【請求項１４】
前記低エネルギー使用形気液接触反応器は、
前記板状の混合反応器、前記多重噴射反応器、前記分割剪断反応器、前記多重噴射反応器の順で、具備されることを特徴とする請求項2に記載の低エネルギーを使用するオゾン水処理システム。
【請求項１５】
前記管水路形の滞流槽は、気体の外部流出なく、流体との反応を持続的にさせることができる密閉された管水路形にすることを特徴とする請求項1に記載の低エネルギーを使用するオゾン水処理システム。
【請求項１６】
前記主反応器は、
前記オゾン混合水を噴射及び逆流混合して接触反応を起こす噴射逆方向混合反応器、および前記噴射逆方向混合反応器を内蔵し、前記噴射逆方向混合反応器から排出される前記処理水を収容した後に排出する反応タンクからなることを特徴とする請求項12に記載の低エネルギーを使用するオゾン水処理システム。
【請求項１７】
前記反応タンクに内蔵され、前記オゾン混合水を接触反応させた後、前記噴射逆方向混合反応器へ排出する低エネルギー使用形気液接触反応器をさらに含むことを特徴とする請求項16記載に低エネルギーを使用するオゾン水処理システム。
【請求項１８】
前記低エネルギー使用形気液接触反応器は、
板状の混合反応器、多重噴射反応器、分割剪断反応器の中から選択される一つ以上の組み合わせからなることを特徴とする請求項17に記載の低エネルギーを使用するオゾン水処理システム。
【請求項１９】
前記噴射逆方向混合反応器は、
前記オゾン混合水が流入される先端は開放されて流出される後端は断面が縮小され、中心部に噴射孔が形成される噴射配管、および前記噴射配管から噴射される前記オゾン混合水をぶつけて逆流させるように後端に凹面反射板が形成されて一側に前記処理水を排出する排出口を持つ後方配管からなることを特徴とする請求項16に記載の低エネルギーを使用するオゾン水処理システム。
【請求項２０】
前記気体注入機は、
前記送水管から供給される前記原水を内部移送するメイン配管、および前記メイン配管内に具備され、多数個の噴射孔を通じて供給される前記オゾンガスを超微細気泡形態で前記原水の水中に噴射する多孔管からなることを特徴とする請求項1に記載の低エネルギーを使用するオゾン水処理システム。
【請求項２１】
前記板状の混合反応器は、
前記気体注入機から供給される前記オゾン混合水の流路や流速を変更させるように直径が徐々に縮小される形路で具備される流入縮小管、および前記流入縮小管から供給される前記オゾン混合水を内部移送する後方配管、および前記後方配管の内側面上に突出されるように多数個具備され、前記オゾン混合水の方向や流速を変更させて分割や剪断して接触させる突出部材からなることを特徴とする請求項2に記載の低エネルギーを使用するオゾン水処理システム。
【請求項２２】
前記多重噴射反応器は、
前記オゾン混合水を内部移送するメイン配管、および前記メイン配管内に前記オゾン混合水の流れ方向と直交する方向に具備され、前記オゾン混合水が通過する多数個の貫通孔を持つ遮断多孔板からなることを特徴とする請求項2に記載の低エネルギーを使用するオゾン水処理システム。
【請求項２３】
前記分割剪断反応器は、
前記オゾン混合水を内部移送するメイン配管、および前記メイン配管内に長さ方向に沿って繰り返されるように具備される湾曲した板形態の螺旋型ブレードからなることを特徴とする請求項2に記載の低エネルギーを使用するオゾン水処理システム。
【請求項２４】
前記放流管の途中で分岐され、前記処理水の一部を再処理のために前記原水水槽側に移送する循環管、および前記循環管を通じて供給される前記処理水と、前記原水水槽から供給される前記原水を混合して前記送水管で供給する混合供給器をさらに含むことを特徴とする請求項1に記載の低エネルギーを使用するオゾン水処理システム。
【請求項２５】
前記混合供給器は、
前記処理水と前記原水を内部移送しながら混合する混合配管、及び前記混合配管内に具備され、異物質を濾過させるストレーナーからなることを特徴とする請求項24に記載の低エネルギーを使用するオゾン水処理システム。
【発明の詳細な説明】
【技術分野】
【０００１】
本発明は低エネルギーを使用するオゾン水処理システムに関するものとして、さらに詳しくは低エネルギーを消費して処理費用を節減でき、処理効率も優秀な低エネルギーを使用するオゾン水処理システムに関するものである。
【背景技術】
【０００２】
一般的に、オゾン(O3)を利用する水処理方法はオゾンの強力な酸化力、分解力、殺菌力、脱色力や脱臭力を利用して高度浄水処理、上下水道処理、汚・廃水処理、浸出水処理などを行うものである。
【０００３】
こうしたオゾンガスを利用する水処理分野ではオゾンガスの注入、接触、溶解のような反応を通じて汚染水を浄化しており、具体的に散気方式、インゼクタ(injector)方式、加圧ポポンプ(pump)方式、タービン-ミキサー(turbine-mixer)方式、U-チューブ(tube)方式などがある。
【０００４】
このうち、散気方式はオゾンガスを汚染水の水中にディフューザー(diffuser)を利用し、微細気泡に散気する方式で、深い散気水深で微細気泡を発生して水処理が行われる。
【０００５】
しかし、散気方式は微細気泡口の詰まるような現象、気泡の大きさの調節困難、断路現象発生、チャネリング(channeling)現象の発生などの短所があるだけでなく、微細気泡の浮力による垂直上昇を通じてのみ気液接触が発生されるので接触および溶解反応がうまくいかず、オゾン吸収率低下及び自己分解拡大などでオゾン利用率が非常に低く、排気のオゾン濃度も高く、環境汚染を誘発するなどのさまざまな問題点があって、最近には上水道処理以外にはほとんど利用しない。
【０００６】
また、最近にはインゼクタ方式を多用する傾向があるが、インゼクタ方式はインゼクタでオゾンガスを吸引する際にエネルギー損失が過度に発生されて、所定量以上のオゾンガスを吸引しておらず、また、インゼクタで吸入後の後続工程として接触反応のためのスタティックミキサー(static mixer)を利用するが、スタティックミキサーは大きなエネルギー損失を生むため、水処理に多くのエネルギーを消費してエネルギー効率や処理効率が低い問題点がある。
【発明の概要】
【発明が解決しようとする課題】
【０００７】
本発明は前記のような諸問題を解決するために創案されたものとして、処理対象の原水にオゾンガスを注入するときと注入後原水とオゾンガスを反応させる時のエネルギー使用を減らして処理費用を節減して実用性を向上させることが可能な低エネルギーを使用するオゾン水処理システムを提供することがその目的である。
【０００８】
また、原水とオゾンガス間の接触反応を極大化させてオゾン利用効率を向上させて完璧な水処理を期することができるという低エネルギーを使用するオゾン水処理システムを提供することがその目的である。
【０００９】
本発明の前記の目的と様々な長所はこの技術分野に熟練した人たちによって本発明の望ましい実施例から、一層明確になるだろう。
【課題を解決するための手段】
【００１０】
上述した目的を達成するための本発明の低エネルギーを使用するオゾン水処理システムは、処理対象の原水がエネルギーを持って移送供給される送水管と、前記送水管から供給されて移送される原水にオゾンガスを超微細気泡の形態で分散注入する気体注入機と、前記気体注入機から供給されて移送されるオゾン混合水内の前記原水と前記オゾンガスの接触反応を促進させる低エネルギー使用形気液接触反応器、および反応処理された処理水を移送して反応促進をさせる管水路形の滞流槽と、放流する放流管とを含み、前記管水路形の滞流槽は、反応を促進させるため、渦流を形成できる上下左右の導流壁、または上下の導流壁を含むことを特徴とする。
【００１１】
好ましくは、前記の低エネルギー使用形気液接触反応器は、板状の混合反応器、多重噴射反応器、分割剪断反応器の中から選択される一つ以上の組み合わせで成り立つことができる。
【００１２】
また、好ましくは、前記送水管を通じて供給される前記の原水は、落差による位置エネルギーによって加圧移送されるものとすることができる。
【００１３】
また、好ましくは、前記の原水にエネルギーを付与して送水されるようにした送水ポンプをさらに含むことができる。
【００１４】
また、好ましくは、前記の原水を貯水し、前記の送水管に供給する原水水槽をさらに含むことができる。
【００１５】
また、好ましくは、前記気体注入機に供給される前記オゾンガスを発生して供給するオゾン発生器、および前記オゾン発生器から供給される前記オゾンガスを前記気体注入機に移送して供給するオゾン供給管をさらに含むことができる。
【００１６】
また、好ましくは、前記気体注入機に供給されるオゾンガス以外に酸素ガス、塩素ガスを発生させて供給するガス供給管をさらに含むことができる。
【００１７】
また、好ましくは、前記気体注入機の種類はメンブレン(membrane)形気体注入機、マイクロバブル(micro-bubble)形気体注入機、打孔形注入機などの主管路内部管路面積全体に均一に直接注入できるSTS304、STS316、STS316L、アステルルイ、PP、PEなどの材質の主管路気体注入機を含むことができる。
【００１８】
また、好ましくは、微細気泡として注入されたオゾンガスが板状の混合反応器、多重噴射形反応器を複合的に利用することによって接触反応を促進させた後、超音波発生装置を通じて超音波空洞現象が起きて、さらに接触反応が促進され、オゾンと原水の2次促進反応や超音波による水処理効果を同時に得られる。
【００１９】
また、好ましくは、前記放流管から放流される前記処理水を貯水する放流の水槽、および前記放流管の端部に装備され、前記放流水槽内の水中に前記処理水を噴射する噴射手段をさらに含むことができる。
【００２０】
また、好ましくは、前記低エネルギー使用形気液接触反応器から供給される前記オゾン混合水内の前記原水と前記オゾンガスの接触反応を促進しながら反応処理された前記処理水を前記放流管に供給する主反応器をさらに含むことができる。
【００２１】
また、好ましくは、前記低エネルギー使用形気液接触反応器は、前記板状の混合反応器、前記多重噴射形反応器、前記分割剪断反応器、前記多重噴射形反応器の順で、具備されることができる。
【００２２】
また、好ましくは、前記主反応器の後端と、放流管の前端に選択的に超音波発生装置を設置して、前処理過程で反応されていないオゾンの反応を極大化及び残留オゾンをゼロ化して、オゾンによる臭いの被害を最小化することができる。
【００２３】
また、好ましくは、前記管水路形の滞流槽は、気体の外部流出なく、流体との反応を持続的にさせることができる密閉された管水路形とすることができる。
【００２４】
また、好ましくは、前記主反応器は、前記オゾン混合水を噴射及び逆流混合して接触反応を起こす噴射逆方向混合反応器、および前記噴射逆方向混合反応器を内蔵し、前記噴射逆方向混合反応器から排出される前記処理水を収容した後で排出する反応タンクで成り立つことができる。
【００２５】
また、好ましくは、前記反応タンクに内蔵され、前記オゾン混合水を接触反応させた後に、前記噴射逆方向混合反応器へ排出する低エネルギー使用形気液接触反応器をさらに含むことができる。
【００２６】
また、好ましくは、前記噴射逆方向混合反応器は、前記オゾン混合水が流入される先端は開放されて、流出される後端は断面が縮小され、中心部に噴射孔が形成される噴射配管、および前記噴射配管で噴射される前記オゾン混合水をぶつけて逆流させるように後端に凹面反射板が形成されて、一側に前記処理水を排出する排出口を持つ後方配管で成り立つことができる。
【００２７】
また、好ましくは、前記気体注入機は、前記送水管から供給される前記原水を内部移送するメイン配管、および前記のメイン配管内に装備され、多数個の噴射孔を通じて供給される前記オゾンガスを超微細気泡の形態で前記の原水の水中に噴射する多孔管で成り立つことができる。
【００２８】
また、好ましくは、前記板状の混合反応器は、前記気体注入機から供給される前記オゾン混合水の流路や流速を変更させるように直径が徐々に縮小される形態で具備される流入縮小管、前記流入縮小管から供給される前記オゾン混合水を内部移送する後方配管、および前記後方配管の内側面上に突出されるように多数個が具備され、前記オゾン混合水の方向や流速を変更させて分割や剪断して接触させる突出部材で成り立つことができる。
【００２９】
また、好ましくは、前記多重噴射反応器は、前記オゾン混合水を内部移送するメイン配管、および前記のメイン(main)配管内に前記オゾン混合水の流れ方向と直交する方向に具備され、前記オゾン混合水が通過する多数個の噴射孔を持つ遮断多孔板で成り立つことができる。
【００３０】
また、好ましくは、前記分割剪断反応器は、前記オゾン混合水を内部移送するメイン配管、および前記のメイン配管内に長さ方向に沿って繰り返されるように具備される湾曲した板形態の螺旋形のブレード(blade)で成り立つことができる。
【００３１】
また、好ましくは、前記放流管の途中で分岐され、前記処理水の一部を再処理のために前記原水水槽側に移送する循環管、および前記循環管を通じて供給される前記処理水と、前記原水水槽から供給される前記原水を混合して前記の送水管に供給する混合供給器をさらに含むことができる。
【００３２】
また、好ましくは、前記混合供給器は、前記処理水と前記の原水を内部移送しながら混合する混合配管、および前記混合配管内に具備され、異物を取り除くストレーナー(strainer)で成り立つことができる。
【発明の効果】
【００３３】
本発明によると、オゾンガス注入時及び接触反応時のエネルギー使用を大幅に減らすことができることによって処理費用を節減させることができる効果を達成することができる。
【００３４】
また、低エネルギー使用形であり、効率が優秀な反応器等を複合的に使用して反応処理された処理水の一部を再処理させたことにより、少ない量のオゾンを使用し、完璧な水処理を期することができる効果を達成することができる。
【００３５】
そして、迅速な処理も可能であることによって処理生産性も向上させることができる効果を達成することができる。
【図面の簡単な説明】
【００３６】
【図１】図1は、本発明の好ましい実施例による低エネルギーを使用するオゾン水処理システムの構成図である。
【００３７】
【図２】図2は、本発明の好ましい実施例による低エネルギーを使用するオゾン水処理システムの構成図である。
【００３８】
【図３】図3は、本発明の好ましい実施例による低エネルギーを使用するオゾン水処理システムの構成図である。
【００３９】
【図４】図4は、本発明の好ましい実施例による低エネルギーを使用するオゾン水処理システムの構成図である。
【００４０】
【図５】図5は、本発明の好ましい実施例による低エネルギーを使用するオゾン水処理システムの気体注入機の概略断面図である。
【００４１】
【図６】図6は、本発明の好ましい実施例による低エネルギーを使用するオゾン水処理システムの板状の混合反応器の一部切開断面図である。
【００４２】
【図７】図7は、本発明の好ましい実施例による低エネルギーを使用するオゾン水処理システムの多重噴射反応器の断面図である。
【００４３】
【図８】図8は、本発明の好ましい実施例による低エネルギーを使用するオゾン水処理システムの分割剪断反応器の概略断面図である。
【００４４】
【図９】図9は、本発明の好ましい実施例による低エネルギーを使用するオゾン水処理システムの噴射逆混合反応器の断面図である。
【００４５】
【図１０】図10は、本発明の他の実施例による低エネルギーを使用するオゾン水処理システムの構成図である。
【００４６】
【図１１】図11は、本発明の他の実施例による低エネルギーを使用するオゾン水処理システムの混合供給器の概略断面図である。
【発明を実施するための形態】
【００４７】
処理対象の原水がエネルギーを持って移送供給される送水管と、前記送水管から供給されて移送される原水にオゾンガスを超微細気泡の形態で分散注入する気体注入機、前記気体注入機から供給されて移送されるオゾン混合水内の前記原水と前記オゾンガスの接触反応を促進させる低エネルギー使用形気液接触反応器、および反応処理された処理水を移送して反応促進をさせる管水路形の滞流槽と、放流する放流管を含め、前記管水路形の滞流槽は、反応を促進させるため、渦流を形成できる上下左右、または上下導流壁を含むことを特徴とする低エネルギーを使用するオゾン水処理システムが提供される。
【００４８】
以下、添付された図面を参考として本発明の望ましい実施例を詳しく説明することとする。
【００４９】
図1は本発明の望ましい実施例による低エネルギーを使用するオゾン水処理システムに対する構成図である。
【００５０】
本発明によると、処理対象の原水に対するオゾンガスの注入をため、気体の注入機(140)を使用することによって、オゾンガス注入時のエネルギー使用を減らすことと併せて、板状の混合反応器(170)、多重噴射反応器(180)、分割剪断反応器(190)、噴射逆方向混合反応器(200)のような低エネルギー使用形気液接触反応器等を複合的に利用することによって接触反応時のエネルギー使用も削減することにより、従来のインゼクタ、スタティックミキサー組合方式に比べ、エネルギー使用を50〜60%程度減らすことになる。
【００５１】
それによって、最小限のエネルギーだけを使用するので、原水にエネルギーを付与する送水ポンプ(130)を省略したり、低容量のものを利用でき、あえて送水ポンプ(130)を使用せず、原水の保有位置エネルギーのみを利用して水処理を行うこともできる。
【００５２】
また、気体注入機(140)で、一部接触反応がなされた後、低エネルギー使用形であり、効率が優秀な板状の混合反応器(170)、多重噴射反応器(180)、分割剪断反応器(190)、噴射逆方向混合反応器(200)を複合的に使用して接触反応を促進させるので、オゾン利用効率を99%以上に向上させることができ、完璧な浄化処理が可能することにより、従来方法でうまく処理されなかった難分解性の物質が含まれた原水も処理できることとともに、残留オゾン量を減らすことができ、オゾンの使用量も従来に比べて20〜30%減少させ、オゾン発生費用を減らすことができる。
【００５３】
本発明によるオゾン水処理システムは、処理対象の原水を貯水して供給する原水水槽(110)と、原水水槽(110)から供給される原水を移送する送水管(120)と、水処理に必要なエネルギーを原水に付与して原水が加圧移送されるようにする送水ポンプ(130)と、移送される原水に注入される適正濃度のオゾンガスを発生させて供給するオゾン発生器(160)と、オゾン発生器(160)から供給されるオゾンガスを移送して供給するオゾン供給管(165)と、オゾン供給管(165)を通じて供給されるオゾンガスを内部移送される原水に超微細気泡の形態で分散注入する気体注入機(140)と、気体注入機(140)から供給されて移送されるオゾン混合水内の原水とオゾンガス間の気液接触反応を促進させる低エネルギー使用形気液接触反応器と、後続して原水とオゾンガスの接触反応を促進して反応をほぼ完了する主反応器(230)と、主反応器(230)から排出される反応処理された処理水を移送して放流する放流管(240)を含む。
【００５４】
原水水槽(110)は、処理対象の原水を流入して一時的に貯水して、供給することで、原水の流入量変動を克服してシステムが安定的に運転できる容量に選定する。
【００５５】
このような原水水槽(110)の一側には原水が排出される排出口が具備され、該当する排出口は送水管(120)の一端と連通されるように連結される。
【００５６】
ここで、原水水槽(110)なしですぐに送水管(120)を通じて原水が供給できる場合もあるが、原水の安定的な供給のためには、原水水槽(110)が具備されることが望ましい。
【００５７】
送水管(120)は、原水水槽(110)から供給される原水を内部移送して供給する配管で、一端は原水水槽(110)の排出口に接続して、他端は、気体注入機(140)の先端に接続されて原水を気体注入機(140)に供給する。
【００５８】
このような送水管(120)は送水される原水のエネルギー損失が最小化できるように設計されて具備される。
【００５９】
送水ポンプ(130)は原水に水処理に必要なエネルギーを付与して原水が一定圧力や流量で吸引、加圧送水されるようにすることで、流量と揚力で運転効率が優秀なものを選定して使用する。
【００６０】
本発明によると、原水に少ないエネルギーのみを付与しても円滑に水処理可能なので、原水にエネルギーを付与する送水ポンプ(130)を省略したり、小さな容量のものを利用でき、あえて送水ポンプ(130)を使用せず、原水が落差による位置エネルギーのみを持って供給されるようにすることもあり、この時、落差エネルギーの付与は、送水管(120)を垂直になるように具備させることなどにより具現することができる。
【００６１】
オゾン発生器(160)は移送される原水に注入される適正濃度と容量のオゾンガスを発生して供給することで、別途の原料ガスタンク(150)から原料ガスの供給を受けてオゾンを発生させる。
【００６２】
このようなオゾン発生器(160)は原料ガスが酸素または乾燥空気の場合、所定の圧力状態で供給される原料ガスを電場に通過させて酸素分子の一部が酸素原子に分離された後に分離された酸素原子が他の酸素分子と結合されるようにすることによってオゾンを発生させることができる。
【００６３】
原料ガスタンク(150)はオゾン発生に必要な原料ガスをオゾン発生器(160)に供給する装置であり、当該原料ガスは酸素または乾燥airとすることができる。
【００６４】
オゾン供給管(165)はオゾン発生器(160)から供給されるオゾンガスを内部移送して気体注入機(140)に供給し、一端はオゾン発生器(160)に連結されて他端は気体注入機(140)に連結される。
【００６５】
このようなオゾン供給管(165)は、原水送水圧の一時的な不調和による気体注入機(140)からの原水の逆流を防止してオゾン発生器(160)を保護できるように、適切に設計することができる。
【００６６】
もちろん、原水の逆流をより完璧に遮断するため、オゾン供給管(165)上にはチェックバルブ(check valve)のような別途の逆流防止手段(未図示)が具備されることもできる。
【００６７】
また、前記気体注入機(140)に供給されるオゾンガス以外に酸素ガス、塩素ガスまた、発生して供給するガス供給管(未図示)をさらに含めて構成される。
【００６８】
一方、原料ガスタンク(150)とオゾン供給管(165)間を直接的に連結し、必要の時点で高圧状態の原料ガスをすぐ気体注入機(140)に供給して気体注入機(140)の汚染、よどみなどを解決して整備するための原料ガス供給管(155)が具備される。
【００６９】
図2は、本発明の実施例によるオゾン水処理システムに対する他の構成図を示したものとして、前記図1の説明で示した気体注入機(140)、板状の混合反応器(170)、多重噴射反応器(180)で成り立つ部分にサイドストリーム(Side stream)の構成を追加したものである。
【００７０】
これはガス注入の方法の多様な方法を追加するために行われたものであり、気体注入機(140)の種類によって注入方式が変わったりするが、配管の構成によっても注入方式が異なるため、図1と同じフル・ストリームインジェクション(Full stream injection)方式以外にも図2と一緒にサイドストリームインジェクション(Side stream injection)方式を追加して示したものである。
【００７１】
サイドストリームインジェクションの場合、既存の方式とは別にサイドストリームの割合を最小化して動力費を最小化して、混合がよく行われる特徴がある。
【００７２】
サイドストリームは前記気体注入機(140)に補助管路(300)を追加して、流入量の一部をポンプを利用して補助管路(300)に流し出して、エジェクタ(ejector: 310)を利用して気体を注入する方式である。
【００７３】
補助管路(300)の後端には板状の混合反応器(170)、多重噴射反応器(180)を一つ以上複合的に利用することによって接触反応を促進させることができ、促進された気液水は再び気体注入機(140)内に移動され、混合されるようになっている。
【００７４】
図3および図4は、本発明の実施例によるオゾン水処理システムに関する他の構成図を示したものである。
【００７５】
図3および図4に図示された構成も前記図1の説明で示した構成と類似し、分割剪断反応器(190)後端に超音波発生装置(330)及び超音波振動装置(320)を一つ以上追加して示し、図4は、図3の構成に加えて放流管(240)の前端に超音波発生装置(330)を連結して、放流水槽(270)の前端に管水路形滞流槽(340)を付加して示したものである。
【００７６】
前記設置される超音波発生装置(330)は反応器の促進反応をより促進させる。また、前記の超音波発生装置(330)後端に超音波振動装置(320)を設置して、残留オゾンの反応を極大化し、残留オゾンのにおいによる被害を最小化することができる
【００７７】
図4の管水路形滞流槽(340)は、気体の注入、接触反応中の処理水の気体との反応をさらに促進させるために必要である。
【００７８】
既存の放流水槽(270)の前端に全体構造物が密閉された管水路形滞流槽(340)を設置して、前記管水路形滞流槽(340)の内部には反応を促進させるための渦流を形成できる上下、左右導流壁を設置する。前記管水路形滞流槽(340)は、気体の外部流出なく、流体との反応を持続的にできるように密閉されることを特徴とする。
【００７９】
図3および図4の構成には、共通的に、フル・ストリームインジェクション方式及びサイドストリームインジェクション方式の後端に超音波発生装置(330)及び超音波振動装置(320)を設置して、微細気泡として注入されたオゾンが板状の混合反応器(170)、多重噴射反応器(180)を複合的に利用することによって接触反応を促進させた後、超音波発生装置(330)及び超音波振動装置(320)を通じて超音波空洞現象が起きて、さらに接触反応が促進され、オゾンとの反応促進及び超音波による水処理効果を得ることができる。
【００８０】
また、放流管(240)の前端に超音波発生装置(330)を追加設置して、前端では反応されていないオゾンの反応を極大化して、放流水槽(270)の処理後にもオゾンによる臭いの被害を最小化することができる。
【００８１】
気体注入機(140)は、オゾン供給管(165)を通じて供給されるオゾンガス自体の圧力を利用して内部移送される原水の水中にオゾンガスを分散されるように注入する。
【００８２】
前記気体注入機の種類はメンブレン形気体注入機、マイクロバブル形気体注入機、打孔形注入機などの主管路の内部管路面積全体に均一に直接注入できるSTS304、STS316、アステルルイ、PP、PEなどの材質の気体注入機を含むことができる。
【００８３】
具体的には、気体注入機(140）は、図5に示すように、送水管（120）から供給される原水を内部移送するメイン配管(144）と、メイン配管(144）内に小直径の管形態で備えられ、その外側面上に全体的に形成された多数の超微細噴射孔(146a）を介してオゾンガスを超微細気泡の形態で水中噴射する多孔管（146）と、外部のオゾン供給管（165）と内部の多孔管（146）を連結してオゾンガスを供給するガス連結管(142）からなる。
【００８４】
ここで、メイン配管(144）は、両端が開放され、その両端には配管をつなげるためのフランジ部(flange: 144a)が形成される。
【００８５】
そして、多孔管(146)は、オゾンガスを超微細気泡の形態にして分散されるように噴射することで、図示のように長さ方向に沿って長く具備され、多数個が均等に配置されるように備えられることができる。
【００８６】
このような多孔管(146)は、ガス連結管(142）と連結されている部分を除いては、閉鎖されるように備えられ、その外側面上に超微細噴射孔(146a）が、全体的に均一に配置されるように備えられる。
【００８７】
したがって、多くの超微細噴射孔(146a）を介してオゾンガスを超微細気泡の形態で分散されるように注入するので、オゾンガスの超微細気泡が内部移送される原水内に迅速しながら均一に混合、溶解されることができ、その結果、原水とオゾンガスとの間の接触反応を極大化させることができる。
【００８８】
このような気体注入機(140）を利用すれば、注入されるオゾンガスの圧力損失を200mbar以下で実現することができていることに加えて、何よりもオゾンガス注入による原水のエネルギー使用量を最小限に抑えることができ、すなわち、既存の注入器(インゼクタ)を利用する場合と比較して、原水のエネルギー使用量を20分の1程度に減少させることができる。
【００８９】
好ましくは、エネルギーの使用を最小限にされて、混合及び接触反応を最大化させるために多孔管(146）上に形成される各超微細噴射孔(146a）のサイズは10μｍ以下に具現されることができる。
【００９０】
低エネルギー使用形気液接触反応器は、移送されるオゾン混合水のエネルギー使用量を最小限に抑えながら、原水とオゾンガスとの間の接触反応を促進させることで、具体的に板状の混合反応器(170）、多重噴射反応器（180）及び分割剪断反応器(190）を使用する。
【００９１】
板状の混合反応器(170）は、オゾン混合水の流路を変更させて流速を加速させ、オゾン混合水を分割し、剪断させて接触反応を促進させる。
【００９２】
これらの板状の混合反応器(170）は、図6に示すように、徐々に直径が縮小されている管形態で具備されており、気体注入機(140）から供給されて移送されるオゾン混合水の流路を変更させて流速を加速させる流入縮小管（172）と、流入縮小管（172）の次からオゾン混合水を継続して移送させる後方配管（174）と、後方配管（174）の内側面上に突出するように多数個が具備されてオゾン混合水の方向及び流速を変更させて乱流現象を起こし、オゾン混合水を、一部分割や剪断させる突出部材(176）で構成される。
【００９３】
ここで、板状の混合反応器（170）の両端を構成する流入縮小管（172）の先端と後方配管（174）の後端には、配管連結ためのフランジ部(172a、174a）が形成される。
【００９４】
流入縮小管(172）は、先端から後端に行くほど徐々に直径が縮小されるように形成され、移送されるオゾン混合水の流速を加速させて流路を変更させて原水とオゾンガスとの間の接触反応を促進させる。
【００９５】
突出部材(176)は後方配管(174)の内側面上に多数個が均等に配置されるように具備されるもので、移送されるオゾン混合水が多数個の突出部材(176)に衝突され、その方向や流速が変更され、乱流現象が発生されるようにすることと併せて、その一部が分割や剪断されることにより、原水とオゾンガス間の接触反応が再び促進されるようにする。
【００９６】
このような突出部材(176)は図示した通り、傾斜した小さな板形態で具現され得る。
【００９７】
多重噴射反応器(180)は板状の混合反応器(170)で反応処理されたオゾン混合水を継続移送し、加速、分割、剪断、渦流、乱流や逆流させて接触反応を改めて促進させる。
【００９８】
このような多重噴射反応器(180)は、図7に示した通り、板状の混合反応器(170)から供給されるオゾン混合水を内部移送するメイン配管(182)と、メイン配管(182)内にオゾン混合水の流れ方向と直交する方向で繰り返されるように具備される板形態のこととして、多数個の貫通孔(184a)を持つ遮断多孔板(184)で構成される。
【００９９】
ここで、メイン配管(182)の両端は開放され、その両端には配管連結のためにフランジ部(182a)が形成される。
【０１００】
遮断多孔板(184)は、メイン配管(182)の長さ方向に沿って離隔できるように多数個が繰り返されるように具備される。
【０１０１】
したがって、移送されるオゾン混合水は遮断多孔板(184)に順次的にぶつかって流れが変更または逆流されたり、流速が変化して、貫通孔(184a)を通過し、流速が加速されることと併せて一部分割され、それによる強力な剪断作用や渦流、乱流、逆流の作用によって原水とオゾンガス間の接触反応が促進されることができる。
【０１０２】
このような多重噴射反応器(180)は従来のスタティックミキサーなどに比べて10倍程度反応効率が優秀な反面、エネルギー消費は83%水準に、非常に低く、エネルギー使用を大幅に減らすことができる。
【０１０３】
整理すると、気体注入機(140)と板状の混合反応器(170)を通過し、原水内のオゾンガスの分布が非常に均一になって、多重噴射反応器(180)を通過し、原水とオゾンガス間の接触反応が本格化される。
【０１０４】
分割剪断反応器(190)は多重噴射反応器(180)で反応処理されたオゾン混合水を移送し、分割、剪断、反轉、乱流化させて接触反応を改めて促進させる。
【０１０５】
このような分割剪断反応器(190)は、図8に示した通り、多重噴射反応器(180)から供給されるオゾン混合水を内部移送するメイン配管(192)と、メイン配管(192)内に長さ方向に沿って垂直方向のものと水平方向のものが繰り返されるように具備されてオゾン混合水を継続両分して分割する湾曲された板形態の螺旋形ブレード(194)で成り立つ。
【０１０６】
ここで、メイン配管(192)の両端は開放され、その両端には配管連結のためにフランジ(192a)が形成される。
【０１０７】
したがって、内部移送されるオゾン混合水は各螺旋形ブレード(194)を通過するたびに両分されるように継続分割され、螺旋形ブレード(194)の湾曲された形態によってその方向や流速が可変となり、各螺旋形ブレード(194)の方向が順次変更されたことによって反転および変換されて、強力な剪断や乱流作用によって原水とオゾンガスの接触反応が促進されることができる。
【０１０８】
ここで、螺旋形ブレード(194)の個数をnとすれば、オゾン混合水が分割される数は2nになる。
【０１０９】
このような分割剪断反応器(190)はやや大きなエネルギー使用を誘発するが、反応効率面で良好である。
【０１１０】
以上のような板状の混合反応器(170)、多重噴射反応器(180)および分割剪断反応器(190)はみんな既存のスタティックミキサーなどと比較してオゾン混合水のエネルギー使用を大幅に減らすことができる低エネルギー使用形気液接触反応器として、三種類反応器(170、180、190)の採択与否、配置順序および具備台数は選択的である可能性もある。
【０１１１】
主反応器(230)は板状の混合反応器(170)、多重噴射反応器(180)および分割剪断反応器(190)を経ながらも、まだ反応されていない原水とオゾンガス間の接触反応を促進させて反応をほとんど完了させる。
【０１１２】
このような主反応器(230)は噴射逆方向混合反応器(200)を必須的に内蔵し、該当噴射逆方向混合反応器(200)の前方に前記の低エネルギー使用形気液接触反応器を選択的に内蔵する。
【０１１３】
図面上には内蔵される低エネルギー使用形気液接触反応器として分割剪断反応器(190)を採択した場合を示す。
【０１１４】
主反応器(230)は相対的に大きな直径を持ち、噴射逆方向混合反応器(200)から排出される処理水を内部収容した後で排出する反応タンク(210)と、反応タンク(210)内に内蔵される分割剪断反応器(190)と噴射逆方向混合反応器(200)と、反応タンク(210)内に収容されたオゾン混合水内に残存する酸素ガスと同じ排出ガスを分離して排出する気液分離手段(220)で成り立つ。
【０１１５】
ここで、噴射逆方向混合反応器(200)は噴射及び逆流混合を通じて接触反応を改めて促進させる。
【０１１６】
このような噴射逆方向混合反応器(200)は、図9に示した通り、オゾン混合水が流入される先端側が開放されて、流出される後端側は、断面が徐々に縮小されて中心部に噴射孔(222b)が形成される噴射配管(222)と、噴射配管(222)から噴射されるオゾン混合水を逆流させる凹面の形態の凹面反射板(224a)が後端側に具備されて一側の側壁に反応処理された処理水の排出のために排出口(224b)を持つ後方配管(224)で成り立つ。
【０１１７】
ここで、噴射配管(222)の先端は開放され、その先端には配管をつなげるためのフランジ部(222a)が形成される。
【０１１８】
したがって、分割剪断反応器(190)から供給されるオゾン混合水は噴射配管(222)内部を通過して噴射孔(222b)から噴射されている時に、オゾン混合水の方向や流速が変更され、乱流作用が生じて、また噴射されたオゾン混合水が後方配管(224)の内部を通過し、凹面反射板(224a)に当たる時に乱流、渦流や逆流作用が発生して、接触反応が促進された後に、接触反応がほぼ完了された処理水は後方配管(224)の一側の側壁に形成された排出口(224b)を通じて排出され、反応タンク(210)内に収容される。
【０１１９】
このような噴射逆方向混合反応器(200)も、既存のstatic-mixerなどと比較してオゾン混合水のエネルギー損失を減らすことができる低エネルギー使用形気液接触反応器である。
【０１２０】
気液分離手段(220)は気液接触反応によって発生されて、処理水内に残存する酸素ガスと同じ排気ガスを反応タンク(210)内の処理水から分離して排出させることで、反応タンク(210)内の圧力を維持させる。
【０１２１】
こうした気液分離手段(220)では反応タンク(210)内の上部空間に集まる排気ガスを選択的に放出させることができるチェックバルブで具現されることができる。
【０１２２】
放流管(240)は主反応器(230)の反応タンク(210)から排出される処理水をずっと移送して放流させることで、反応タンク(210)から長く延長される。
【０１２３】
このような放流管(240)は移送される処理水のエネルギー損失が最小化できるように設計されて具備される。
【０１２４】
それに、本発明によると、処理水が放流管(240)を通じて目的とする箇所まで移送され、放流される場合があるが、望ましくは放流管(240)を通じて放流される処理水を最終的に収集して貯水するように放流水槽(270)をさらに具備することができる。
【０１２５】
放流水槽(270)は処理水を最終的に収集して安全に排出されるようにすることで、処理水の流入量や流出量変動を克服してシステムが安定的に運転できる容量に選定される。
【０１２６】
そして、放流管(240)を通じた処理水の放流によって主反応器(230)内の圧力が低下するのを最小化させるために、放流管(240)上には、圧力維持手段(250)が具備されることができる。
【０１２７】
このような圧力維持手段(250)は放流管(240)の内部流路を縮小させる構造を通じて具現され得る。
【０１２８】
また、放流水槽(270)内の水中に処理水を噴射し、放流することで、処理水が残留エネルギーおよびオゾンを利用して放流水槽(270)内部で仕上げの反応できるようにするために放流管(240)の端部には噴射手段(260)が具備されることができる。
【０１２９】
以上、上述のように原水水槽(110)から放流水槽(270)まで一つのライン(line)形態につながる構成は原水を継続的に移送し、1回処理する方式についてのものである。
【０１３０】
なお、本発明によると、原水の水質や処理の目標などによって2回以上繰り返し処理する方式を実現することもあり、これらの繰り返し処理方式の構成を図10に示す。
【０１３１】
繰り返し処理方式では主反応器(230)から放流水槽(270)に処理水を移送する放流管(240)の途中で分岐されて処理水の一部を原水水槽(110)側に循環させるための循環管(280)がもっと具備される。
【０１３２】
つまり、主反応器(230)で反応処理された後、移送される処理水は途中で放流管(240)と循環管(280)に分かれてそれぞれ放流水槽(270)の原水水槽(110)側に供給される。
【０１３３】
そして、再処理のために循環管(280)を通じて供給される処理水と原水水槽(110)から供給される原水を一緒に吸入、混合して送水管(120)に供給できるように原水水槽(110)内には混合供給器(290)がさらに具備される。
【０１３４】
混合供給器(290)は、図11に示した通り、流入される先端側が直径が大きな大径部で形成されて流出される側が相対的に直径が小さい小径部に一体化されるように形成される混合配管(292)と、小径部の入口側を覆うように大径部内の中心部に装備されて内部移送される処理水の原水に含有された異物質を取り除くストレーナー(294)で成り立つ。
【０１３５】
したがって、循環管(280)の端部は混合配管(292)の大径部内に挿入され、ストレーナー(294)に接触されることにより、ストレーナー(294)に直接処理水を供給し、混合配管(292)の大径部とストレーナー(294)の間の空間を通じて原水水槽(110)内の原水が供給されて処理水の原水が混合された後に、送水管(120)に供給される。
【０１３６】
加えて、図示はしなかったが、本発明によるオゾン水処理システムは自動運転ができるように全般的な作動制御を実施する制御パネルをさらに具備することができ、前記の送水管(120)、オゾン供給管(165)、原料ガス供給管(155)、放流管(240)及び循環管(280)には流体の供給を開閉するためのバルブ手段(V)と、流体の圧力及び流量を測定するための油圧計(P)や流量計(F)等が具備されることができる。
【０１３７】
また、加えて、各エレメント(エレメント)やそれに付属する付属エレメントの大きさ、個数、構造などは処理対象の原水の水質と数量、目標水質、オゾンガス注入量などを考慮して適切に決定されることができる。
【０１３８】
以上のような構成を持つ本発明による低エネルギーを使用するオゾン水処理システムの作用について、以下説明する。
【０１３９】
まず、送水ポンプ(130)が作動されれば、原水水槽（110)内に貯水された処理対象の原水が吸入されて送水管(120)を通じて移送された後に気体注入機(140)に供給される。
【０１４０】
この時、原水は送水ポンプ(130)によって水処理に必要なエネルギーを与えられる。
【０１４１】
もちろん、送水ポンプ(130)を使用せず、原水が落差による位置エネルギーを与えられ、送水管(120)を通じて供給させることも出来る。
【０１４２】
続いて、気体注入機(140)に供給された原水は、気体注入機(140)の内部を流れて、この際、オゾン発生器(160)で発生した後に、適正圧力を持つ状態でオゾン供給管(165)を通じて供給されるオゾンガスが当該気体注入機(140)内の多孔管(146)を通じて超微細気泡の形態で分散されるように噴射されて内部を流れる原水に注入され、混合される。
【０１４３】
その後、オゾン混合水は継続して板状の混合反応器(170)に供給されて板状の混合反応器(170)で加速、乱流、分割、剪断されて原水とオゾンガス間の接触反応が実行される。
【０１４４】
その次、継続してオゾン混合水は多重噴射反応器(180)に供給され、多重噴射反応器(180)で加速、分割、剪断、渦流、乱流、逆流されて原水とオゾンガス間の接触反応が改めて実行される。
【０１４５】
続いて、オゾン混合水は継続して、分割剪断反応器(190)に供給されるため、分割剪断反応器(190)で分割、剪断、反転、乱流化されて接触反応が改めて実行される。
【０１４６】
その後、オゾン混合水はもう一度多重噴射反応器(180)を通過し、反応が促進された後、主反応器(230)に供給される。
【０１４７】
主反応器(230)に供給されたオゾン混合水は、当該主反応器(230)に内蔵された分割剪断反応器(190)を通過して再度反応が促進された後、噴射逆方向混合反応器(200)に供給されて噴射逆方向混合反応器(200)で加速、乱流、渦流、逆流されて再度反応が行われる。
【０１４８】
その次、噴射逆方向混合反応器(200)から排出されるオゾン混合水は主反応器(230)の反応タンク(210)内に排出され、収容され、反応タンク(210)内で滞在する間、処理水内に残存する排出ガスが気液分離手段(220)により分離排出され、除去される。
【０１４９】
その後、主反応器(230)まで経て、ほとんど水処理が完了した処理水はその後に主反応器(230)の反応タンク(210)から排出され、放流管(240)を通じて移送された後、当該放流管(240)の端部に具備されている噴射手段(260)を通じて放流水槽(270)内の水中に放流され、続いて放流水槽(270)内で残留エネルギー、及び残留オゾンを利用して仕上げ反応される。
【０１５０】
そして、繰り返し処理方式の場合には放流管(240)を通じて移送される処理水のうちの一部が途中で分岐される循環管(280)に分かれて原水水槽(110)側に供給され、再処理のために循環された処理水は混合供給器(290)で原水とともに吸入、混合されてから再び送水管(120)を通じて送水される。
【０１５１】
これで、本発明によると、気体注入機(140)を利用してオゾンガス注入時のエネルギー使用を大幅に減らすことができ、また低エネルギー使用形気液接触反応器を使用して接触反応時のエネルギー使用も大幅に減らすことができるので、結果的に処理費用を節減させることができる。
【０１５２】
また、板状の混合反応器(170)、多重噴射反応器(180)、分割剪断反応器(190)と噴射逆方向混合反応器(200)のような低エネルギー損失形反応器らを複合的に使用して、必要に応じて処理水の一部を循環させて再処理するので、完璧な水処理を期することができる。
【０１５３】
そして、全課程を経るために、必要とされる処理時間も従来の加算記方式に比べて約1/10程度に短縮されることができ、処理生産性も優れたものとすることができる。
【０１５４】
以上、前記内容は本発明の望ましい実施例をただ例示したので、本発明の当業者は、本発明の要旨を変更させることがなく本発明に対する修正と変更を加えられることを認知しなければならない。
【符号の説明】
【０１５５】
110 : 原水水槽                          120 : 送水管
130 : 送水ポンプ                        140 : 気体注入機
142 : ガス連結管                        144 : メイン配管
144a : フランジ部                       146 : 多孔管
146a : 噴射孔                           150 : 原料ガスタンク
155 : 原料ガス供給管                    160 : オゾン発生器
165 : オゾン供給管                      170 : 板状の混合反応器
172 : 流入縮小管                        172a : フランジ部
174 : 後方配管                          174a : フランジ部
176 : 突出不在                          180 : 多重噴射反応器
182 : メイン配管                        182a : フランジ部
184 : 遮断多孔板                        184a : 貫通孔
190 : 分割剪断反応器                    192 : メイン配管
192a : フランジ部                       194 : 螺旋形ブレード
200 : 噴射逆方向混合反応器              222 : 噴射配管
222a : フランジ部                       222b : 噴射孔
224 : 後方配管                          224a : 凹面反射板
224b : 排出口                           210 : 反応タンク
220 : 気液分離手段                      230 : 主反応器
240 : 放流管                            250 : 圧力維持手段
260 : 噴射手段                          270 : 放流水槽
280 : 循環管                            290 : 混合供給器
292 : 混合配管                          294 : ストレーナー
300 : 補助管路                          310 : エジェクタ
320 : 超音波振動装置                    330 : 超音波発生装置
340 : 管水路形滞流槽
F : 流量計                               P:圧力計
V : バルブ手段
【図１】
2019505380.tif 000003
【図２】
2019505380.tif 000004
【図３】
2019505380.tif 000005
【図４】
2019505380.tif 000006
【図５】
2019505380.tif 000007
【図６】
2019505380.tif 000008
【図７】
2019505380.tif 000009
【図８】
2019505380.tif 000010
【図９】
2019505380.tif 000011
【図１０】
2019505380.tif 000012
【図１１】
2019505380.tif 000013
【国際調査報告】
2019505380.tif 000014
2019505380.tif 000015
2019505380.tif 000016
2019505380.tif 000017